(57)【要約】【課題】公共事業者の発注に係る建物などの調査業務又は補償額算定業務に基づく成果簿の点検作業を支援するための電子成果簿を提供することを目的とする【解決手段】前記成果簿と対応する各階層ページの画面情報から構成され、各階層ページの所定の数字（A）の基データである数字（Ｂ）が表示されている１つ下位の階層ページの画面情報へのディープリンクは数字（Ａ）をクリックしてページ展開（甲）でき、また、各階層ページの所定の数字（Ｃ）を基データとする数字（Ｄ）が表示されている１つ上位の階層ページの画面情報へのアッパーリンクは前記数字（Ｃ）をクリックしてページ展開（乙）できるように予め相互に関連付けられており、また、各階層ページの所定の数字（Ｅ）の詳細情報が該吹き出し欄内に表示されているものであってこれらの手段や機能を実行させるためのコンピューター読み取り可能なプログラムからなる電子成果簿。【選択図】  図１
2007299309.tif 000002
【特許請求の範囲】
【請求項１】
公共事業に必要な土地や建物等の取得又は使用に伴う損失の補償に関する、公共事業者の発注に係る建物や工作物や機械設備や営業などの調査業務又は補償額算定業務に基づく、前記公共事業者各自の仕様や算定要領に沿った、相互に関連付けられた所定の階層構造を有する各階層ページが所定の順序で綴じ込まれている構成であることを前提とする成果簿の電子成果簿であって、前記成果簿と対応する前記各階層ページの画面情報から構成され、コンピューターシステムに備わるモニターの画面上に表示される最下位階層ページを除く前記各階層ページの画面情報内に表示されている所定の数字（A）の基データである数字（Ｂ）が表示されている１つ下位の階層ページの画面情報へのディープリンクは前記所定の数字（Ａ）をクリックしてページ展開（甲）できるように予め相互に関連付けられており、また、最上位階層ページを除く前記各階層ページの画面情報内に表示されている所定の数字（Ｃ）を基データとする数字（Ｄ）が表示されている１つ上位の階層ページの画面情報へのアッパーリンクは前記所定の数字（Ｃ）をクリックしてページ展開（乙）できるように予め相互に関連付けられており、且つ前記最上位階層ページと前記最下位階層ページを除く各階層ページの画面情報を表示している画面上にページ展開操作欄を設け、該操作欄により前記ページ展開（甲）又はページ展開（乙）を操作できる手段を有し、また、前記各階層ページの画面情報内に表示されている所定の数字（Ｅ）に吹き出し欄を設け、その数字（Ｅ）の詳細情報が該吹き出し欄内に表示されているものであって、これらの手段や機能を実行させるためのコンピューター読み取り可能なプログラムからなる電子成果簿。
【請求項２】
請求項１に記載されたプログラムを記録する記録媒体からなる電子成果簿。
【請求項３】
トップページから順に前記各階層ページに通し番号が付された前記成果簿と対応する通し番号が付された前記各階層ページの画面情報を有する前記電子成果簿であり、前記各階層ページの画面情報を表示している画面上にページ検索枠を設け、そのページ検索枠内に所望の前記通し番号を入力することにより該通し番号が付された前記各階層ページの画面情報を前記モニターの画面上に呼び出せるようにしたことを特徴とする請求項１又は請求項２に記載の電子成果簿。
【請求項４】
前記各階層ページの画面情報を表示している画面上にページ順送り操作欄を設け、該操作欄により前記所定の順序で又はその逆の順序で順次前記各階層ページの画面情報を前記モニターの画面上に呼び出せるようにしたことを特徴とする請求項１乃至請求項３の何れかに記載の電子成果簿。
【請求項５】
前記ページ展開（甲）又はページ展開（乙）に係る展開ページ内に表示されている前記数字（Ｂ）又は数字（D）に所定の配色が付されていることを特徴とする請求項１乃至請求項４の何れかに記載の電子成果簿。
【請求項６】
前記所定の数字（Ａ）及び／又は数字（Ｂ）及び／又は所定の数字（Ｃ）及び／又は数字（D）及び／又は所定の数字（E）が用語又は文章又は算定式又は表又は図又は画像等であること特徴とする請求項１乃至請求項５の何れかに記載の電子成果簿。
【請求項７】
前記成果簿とその成果簿の点検者と前記コンピュータシステムとの構成において、前記点検者が前記成果簿の前記各階層ページに記載されている前記所定の数字（Ａ）又は所定の数字（C）又は所定の数字（E）などを閲覧の際に、前記点検者が前記コンピュータシステムを用いて前記手段や機能を実行して、その閲覧に係る前記所定の数字（Ａ）の基データである前記数字（Ｂ）が表示されている階層ページの画面情報又はその閲覧に係る前記所定の数字（C）を基データとした前記数字（D）が表示されている階層ページの画面情報を前記モニターの画面上に容易に呼び出して来て、前記閲覧に係る前記所定の数字（Ａ）とその呼び出してきた画面情報内の前記数字（Ｂ）との関連性や整合性などを、又は前記閲覧に係る前記所定の数字（C）とその呼び出してきた画面情報内の前記数字（D）との関連性や整合性などを、それぞれ容易に且つ同時に確認することができて、あるいは、前記モニターの画面上にその閲覧に係る前記所定の数字（E）の記載されている階層ページに対応する画面情報を呼び出してきて、その画面情報内の前記所定の数字（Ｅ）に設けられている吹き出し欄内に表示されている詳細情報を確認する事ができて、そして、それら確認に基づいて前記成果簿の点検作業を進めていく事ができるようになることを特徴とする請求項１乃至請求項６の何れかに記載の電子成果簿。
【発明の詳細な説明】
【技術分野】
【０００１】
公共事業に必要な土地や建物等の取得又は使用に伴う損失の補償に関する、公共事業者の発注に係る建物や工作物や機械設備や営業などの調査業務又は補償額算定業務に基づく、前記公共事業者各自の仕様や算定要領に沿った、相互に関連付けられた所定の階層構造を有した各階層ページが所定の順序で閉じ込まれた構成であることを前提とする成果簿の電子成果簿に関する。
【背景技術】
【０００２】
従来、公共事業に必要な土地や建物等の取得又は使用に伴う損失の補償に関する、公共事業者の発注に係る建物や工作物や機械設備や営業などの調査業務又は補償額算定業務に基づく、前記公共事業者各自の仕様や算定要領に沿った、相互に関連付けられた所定の階層構造を有した各階層ページが所定の順序で閉じ込まれた構成であることを前提とする成果簿がある。
例えば、国土交通省が前記公共事業者である場合において、例えば、国土交通省関東地方整備局が発注者となり、公共事業に必要な土地等の取得等に伴う、建物や工作物や機械設備や営業などの調査業務又は補償金額算定業務などを請負に付し、その請負業者が国土交通省関東地方整備局が準拠とする用地調査等共通仕様書や算定要領などに沿って、その発注に係る前記成果簿を作成して前記発注者へ納品する。
【０００３】
ところで、国土交通省関東地方整備局が準拠とする用地調査等共通仕様書や算定要領などによれば、前記成果簿は成果品と呼ばれるものであるが、成果品には業務日報や権利者調査表など本発明とは関係のないものも一律に成果品と呼ばれているので、誤解を避けるために成果簿という名称を使用した。
【０００４】
また、前記調査業務とは、建物や工作物などのいわばボリュームを算定する業務であり、建築面積・基礎の種類や幅・柱の太さや本数や材質・壁の面積や材質などを調査する業務であり補償金額の算定まではしない業務である。
また、前記補償額算定業務とは、前記調査業務で算定した前記各種カテゴリー別のボリュームに対応する各種補償金額を積算して最終的に建物や工作物などの補償金額を算出する業務である。
【０００５】
さて、前記成果簿は公共事業者各自の準拠とする仕様や算定要領に沿って作成し納品される。そして、その仕様や算定要領において、成果簿の書式や算定順序等その成果簿の構成が定められている。
また、通常、前記成果簿は、特別の場合等を除き、公共事業者各自の準拠とする仕様や算定要領に沿って、相互に関連付けられた所定の階層構造を有した各階層ページが所定の順序で綴じ込まれている構成であることが前提になっている。
その特別な場合を除きとは、発注者側の特別の指示がある場合とか、前記調査業務や補償額算定業務などに係る調査物件などの規模が極端に小さい場合すなわち相互に関連付けられた所定の階層構造を有した各階層ページを持つ構成に至らない場合などである。
そして、その各階層ページには、各カテゴリー項目名とそのカテゴリーのボリュームや内容を示す数字や図面や算定式等が表示されており、その最下位の階層ページを除く各階層ページにはその階層ページの一つ下位の階層ページに記載された数字や数量や図や算定式等を基データとする数字や数量や図や算定式等が記載されている。
【０００６】
そして、通常は前記成果簿に対し、前記納品の後における前記発注者側での点検作業が行われる。
本発明はその点検作業に関するものであるが、ここでいう、点検作業とは、要するに、前記公共事業者各自の仕様や算定要領に沿った、相互に関連付けられた所定の階層構造を有する各階層ページが所定の順序で閉じ込まれている構成であることを前提として納品された成果簿が、はたしてその前提どおりに作成されているかどうかの点検作業である。
具体的には、各階層ページに記載されている各カテゴリー項目に関する数字が正しく記載されているか、その基データはどこに記載されているか、法的規制状況は正しく調査されているか等の種々多数の項目に関する内容や数字などの関連性や整合性などを１つ１つ点検していく作業をいう。
【０００７】
しかしながら、従来の前記点検作業には以下のような問題点がある。
１、前記成果簿の各階層ページ内には多数のカテゴリー項目に関する数字が記載されている。そして、どのページのどの箇所に記載されているのか分からない基データや算定式等を発見するために前記成果簿の各階層ページを１ページごとに何回も繰り返しめくって点検作業を進めていかなければならないために大変な手間と時間がかかる。
特に前記ボリュームのある前記成果簿（多数の階層ページからなる成果簿）の場合には、点検者が確認をしたい項目やその項目に関する数字やその根拠などをその成果簿の中から探し出していくことに更なる時間を要する。場合によっては、その記載された項目や数字などの基データを確認できない場合もあり、基データの記載ミスなのかそれとも点検者の点検ミスなのかを確認するために前記成果簿の作成者である前記請負業者に電話等で確認するケースもある。
２、例えば、建物調査の成果簿の場合に、その点検項目の１つである、建物面積を点検していく場合には、少なくとも、間取り、寸法及び各室の名称、柱及び壁の位置、前記寸法は柱の中心からの長さか壁からの長さか・前記寸法の単位、床面積の求積方法は正しいかどうか（小数点第何位までの数字を集計して合計面積は小数点第何位までの数字になっているか）、その求積の根拠はどこに表示されているか等の建物面積積算に関する各種数字や図面等の各種根拠の確認が必要であり、その確認のためには、どのページのどの箇所に記載されているのか分からない基データなどを発見するために各階層ページを１ページごとに交互に繰り返し見比べる作業などして、あるいは、前記用地調査等共通仕様書や算定要領などの該当条項を閲覧する等して点検作業を進めて行かなければならないため大変な手間と専門知識が必要となる。
また、建物各部の名称や材質の内容や算定式の内容等の確認のためには、専門知識が必要であり、専門知識の乏しい点検者では、参考図書などを閲覧する等その点検作業にはさらに時間がかかり、点検の精度も低くなっているのが現状である。
また、専門知識のある点検者でも、それぞれの前記成果簿に対する充分な点検時間が確保できない場合もあり、各前記成果簿の点検の精度にバラツキも出てくる。
３、前記成果簿によっては、ページサイズの異なる図面や資料などが差し込まれている場合も珍しくないので、各階層ページの表示内容の確認やページめくり作業に手間のかかる場合がある。
４、補償形態の複数のパターンを１つに収めた成果簿も中にはある。例えば、建物を移転する場合に、基礎の撤去を含む場合や含まない場合の両方の補償額算定表を含む成果簿もある。このような成果簿の場合にはその構成内容も複雑になってくるので、その点検作業を進めていくのに手間のかかるケースがある。
【０００８】
以上のような問題点があるので、前記成果簿の点検作業が容易に短時間で効率的に行えるための支援技術が現在求められている。
【０００９】
なお、本年４月現在、少なくとも、国土交通省関東地方整備局が準拠とする前記用地調査等共通仕様書や算定要領等によれば、前記建物や工作物や機械設備や営業などの調査業務又は補償額算定業務に基づく前記成果簿は、発注者側の特別の指示がある場合を除き、紙による納品を前提としている。
また、仮に将来において、電子納品を原則とするような条項が出来たとしても、本発明のような構成を基調とする電子成果簿は有用であると考えますが、これ以上の言及は本発明の目的と外れてしまうと考えますのでこれ以上の説明は止めます。
【発明の開示】
【発明が解決しようとする課題】
【００１０】
上記問題点に鑑み、本発明の目的は、公共事業に必要な土地や建物等の取得又は使用に伴う損失の補償に関する、公共事業者の発注に係る建物や工作物や機械設備や営業などの調査業務又は補償額算定業務に基づく、前記公共事業者各自の仕様や算定要領に沿った、相互に関連付けられた所定の階層構造を有する各階層ページが所定の順序で閉じ込まれている構成であることを前提とする成果簿の点検作業を容易に効率的に行うことを支援するための電子成果簿を提供することを目的とする。
【課題を解決するための手段】
【００１１】
前記目的を達成するため、請求項１に記載した本発明は、公共事業に必要な土地や建物等の取得又は使用に伴う損失の補償に関する、公共事業者の発注に係る建物や工作物や機械設備や営業などの調査業務又は補償額算定業務に基づく、前記公共事業者各自の仕様や算定要領に沿った、相互に関連付けられた所定の階層構造を有する各階層ページが所定の順序で綴じ込まれている構成であることを前提とする成果簿の電子成果簿であって、前記成果簿と対応する前記各階層ページの画面情報から構成され、コンピューターシステムに備わるモニターの画面上に表示される最下位階層ページを除く前記各階層ページの画面情報内に表示されている「所定の数字（A）」の基データである数字（Ｂ）が表示されている１つ下の階層ページの画面情報へのディープリンクは前記所定の数字（Ａ）をクリックしてページ展開（甲）できるように予め相互に関連付けられており、また、最上位階層ページを除く前記各階層ページの画面情報内に表示されている「所定の数字（Ｃ）」を基データとする数字（Ｄ）が表示されている１つ上の階層ページの画面情報へのアッパーリンクは前記所定の数字（Ｃ）をクリックしてページ展開（乙）できるように予め相互に関連付けられており、且つ前記最上位階層ページと前記最下位階層ページを除く各階層ページの画面情報を表示している画面上にページ展開操作欄を設け、該操作欄により前記ページ展開（甲）又はページ展開（乙）を操作できる手段を有し、また、前記各階層ページの画面情報内に表示されている所定の数字（Ｅ）に吹き出し欄を設け、その数字（Ｅ）の詳細情報が該吹き出し欄内に表示されているものであって、これらの手段や機能を実行させるためのコンピューター読み取り可能なプログラムからなる構成となっている。
【００１２】
ここで所定の数字（A）及び所定の数字（C）の説明をする。
前記電子成果簿の各階層ページには多数の数字が表示されており、それら全ての数字が点検作業の対象になるものではない。例えば、その各階層ページには、各種カテゴリー項目の整理番号や段落の番号や、前記各階層ページの通し番号などの数字が表示されている。また、点検作業の対象になる数字であっても、同じ階層ページないにその基データとなる数字などが表示されている場合もあり、そのような場合には、その基データなどを探すために前記ページ展開をする必要は無く、同じ階層ページ内で容易に基データなどの発見ができる。
したがって、所定の数字（A）及び所定の数字（C）とは、各階層ページに表示されている数字のうち、点検対象の数字ではあるが前記ページ展開をしなければ、前記数字（Ｂ）や数字（Ｄ）の発見ができない数字の場合を意味する。
【００１３】
また、請求項２に記載した発明は、請求項１に記載されたプログラムを記録する媒体からなる電子成果簿である。すなわち上記プログラムを記録する記録媒体、例えば、フロッピーディスク（登録商標）、ＣＤ−ＲＯＭ、ミニディスク、等をパーソナルコンピュータに装着することによって、本発明の電子成果簿を利用することができる。
【００１４】
さらに、請求項３に記載した発明は、トップページから順に前記各階層ページに通し番号が付された前記成果簿と対応する通し番号が付された前記各階層ページの画面情報を有する前記電子成果簿であり、前記各階層ページの画面情報を表示している画面上にページ検索枠を設け、そのページ検索枠内に所望の前記通し番号を入力することにより該所望の通し番号が付された前記各階層ページの画面情報を前記モニターの画面上に呼び出せるようにしたことを特徴とする構成となっている。
【００１５】
さらにまた、請求項４に記載した発明は、前記各階層ページの画面情報を表示している画面上にページ順送り操作欄を設け、該操作欄により前記所定の順序で又はその逆の順序で順次前記各階層ページの画面情報を前記モニターの画面上に呼び出せるようにしたことを特徴とする構成となっている。
【００１６】
またさらに、請求項５に記載の発明は、前記ページ展開（甲）又はページ展開（乙）に係る展開ページ内に表示されている前記数字（Ｂ）又は数字（D）に所定の配色が付されていることを特徴とする構成となっている。
【００１７】
そして、請求項６に記載の発明は、前記所定の数字（Ａ）及び／又は根拠数字（Ｂ）及び／又は所定の数字（Ｃ）及び／又は数字（D）及び／又は所定の数字（E）が用語又は文章又は算定式又は表又は図又は画像等であること特徴とする構成となっている。
【００１８】
そしてまた、請求項７に記載の発明は、前記成果簿とその成果簿の点検者と前記コンピュータシステムとの構成において、前記点検者が前記成果簿の前記各階層ページに記載されている前記所定の数字（Ａ）又は所定の数字（C）又は所定の数字（E）などを閲覧の際に、前記点検者が前記コンピュータシステムを用いて前記手段や機能を実行して、その閲覧に係る前記所定の数字（Ａ）の基データである数字（Ｂ）が表示されている階層ページの画面情報又はその閲覧に係る前記所定の数字（C）を基データとした前記数字（D）が表示されている階層ページの画面情報を前記モニターの画面上に容易に呼び出して来て、前記閲覧に係る前記所定の数字（Ａ）とその呼び出してきた画面情報内の前記数字（Ｂ）との関連性や整合性などを、又は前記閲覧に係る前記所定の数字（C）とその呼び出してきた画面情報内の前記数字（D）との関連性や整合性などを、それぞれ容易に且つ同時に確認することができて、あるいは、前記モニターの画面上にその閲覧に係る前記所定の数字（E）の記載されている階層ページに対応する画面情報を呼び出してきて、その画面情報内の前記所定の数字（Ｅ）に設けられている吹き出し欄内に表示されている詳細情報を確認する事ができて、そして、それら確認に基づいて前記成果簿の点検作業を進めていく事ができるようになることを特徴とする構成を採用することができる。
【発明の効果】
【００１９】
本発明の電子成果簿によれば、前記成果簿とその成果簿の点検者と前記コンピュータシステムとの構成において、前記点検者が前記成果簿の前記各階層ページに記載されている所定の数字（Ａ）又は前記所定の数字（C）又は前記所定の数字（E）を閲覧の際に、前記点検者が前記コンピュータシステムを用いて前記手段や機能を実行して、その閲覧に係る前記所定の数字（Ａ）の基データである数字（Ｂ）が表示されている階層ページの画面情報又はその閲覧に係る前記所定の数字（C）を基データとした前記数字（D）が表示されている階層ページの画面情報又はその閲覧に係る前記所定の数字（E）の詳細情報が表示されている吹き出し欄などを前記モニターの画面上に容易に呼び出すことができるため、前記閲覧に係る前記所定の数字（Ａ）とその呼び出してきた画面情報内の前記数字（Ｂ）との関連性や整合性などを又は前記閲覧に係る前記所定の数字（C）とその呼び出してきた画面情報内の前記数字（D）と関連性や整合性などを、それぞれ容易に且つ同時に確認することが可能となり、あるいは、その閲覧に係る前記所定の数字（E）の詳細情報を容易に前記モニターの画面上で確認する事ができて、そして、それら確認に基づいて前記成果簿の点検作業を進めていく事が可能になるために、従来の点検作業のように、どのページのどの箇所に記載されているのか分からない基データなどを発見するために前記成果簿の各階層ページを１ページごとに何回も繰り返しめくって点検作業を進めたり、数字の詳細情報を確認するために仕様書や算定要領などの該当箇所を参照するなどの手間や時間が要らないため、前記成果簿の点検作業を容易に且つ効率的に進めて行くことが可能となる。
【００２０】
前記ページ展開（甲）又はページ展開（乙）に係る展開ページ内に表示されている前記数字（Ｂ）又は数字（D）に所定の配色が付されていることで、その展開ページ内において、前記数字（Ｂ）や数字（D）が表示されている箇所を瞬時に発見する事が可能となり、前記成果簿の点検作業をより効率的に進めて行くことが可能となる。
【００２１】
前記ページ検索枠に所望の前記通し番号を入力することにより、該通し番号のページから容易に点検作業を開始する事が可能となる。
【発明を実施するための最良の形態】
【００２２】
本発明は、前記成果簿とその成果簿の点検者と前記コンピュータシステムとの構成において、前記点検者が前記成果簿の前記各階層ページに記載されている前記所定の数字（Ａ）又は所定の数字（C）又は所定の数字（E）などを閲覧の際に、前記点検者が前記コンピュータシステムを用いて前記手段や機能を実行して、その閲覧に係る前記所定の数字（Ａ）の基データである数字（Ｂ）が表示されている階層ページの画面情報又はその閲覧に係る前記所定の数字（C）を基データとした前記数字（D）が表示されている階層ページの画面情報を前記コンピュータシステムに備わるモニターの画面上に容易に呼び出して来て、前記閲覧に係る前記所定の数字（Ａ）とその呼び出してきた画面情報内の前記数字（Ｂ）との関連性や整合性などを、又は前記閲覧に係る前記所定の数字（C）とその呼び出してきた画面情報内の前記数字（D）との関連性や整合性などを、それぞれ容易に且つ同時に確認することができて、あるいは、前記モニターの画面上にその閲覧に係る前記所定の数字（E）の記載されている階層ページに対応する画面情報を呼び出してきて、その画面情報内の前記所定の数字（Ｅ）に設けられている吹き出し欄内に表示されている詳細情報を確認する事ができて、そして、それら確認に基づいて前記成果簿の点検作業を進めていく事が可能になることを最大の特徴とする。以下本発明を実施するための最良の形態を図面に基づいて説明する。
【００２３】
本発明は、図１に示すように、前記成果簿Ｙの点検者Ｘがその成果簿Ｙと前記電子成果簿とコンピュータシステム１とを同時に利用して、成果簿Ｙの点検作業を効率的に進めていくものである。前記コンピュータシステム１は、モニター２などの出力手段とキーボードなどの入力手段を備えるとともにＣＰＵ及びメモリなどを有する本体にＯＳなどのプログラムを組み込んだ装置とコンピュータプログラムから成るコンピュータシステムである。
【００２４】
図１は、電子成果簿を実行して、点検作業を行っている１場面の状態を示すもので、点検者Ｘが前記コンピュータシステム１を用いて前記手段や機能を実行して、成果簿に記載されている前記所定の数字（以下成果簿所定の数字という）（Ａ）１１と、モニターの画面上に表示されているその成果簿所定の数字（Ａ）１１の基データである数字（以下画面数字という）（Ｂ）８とを、同時に見比べてその整合性を確認している状態を示している。
【００２５】
コンピュータシステム１を用いて本発明の電子成果簿を実行すると、図２に示すようにモニター２の画面上にトップページ（最上位階層ページ）（以下画面トップページという）３の画面情報が現れる。
その画面トップページ３には前記成果簿のトップページ（最上位階層ページ）（以下成果簿トップページという）１０（図６に示す）に対応して多数の数字などが前記仕様や算定要領に沿った所定の書式内に配置表示されている。
そして、その画面上には、ページ順送り操作欄５、ページ検索枠６を有している。
そして、その画面トップページ３内に表示されている前記所定の数字（以下画面所定の数字という）（Ａ）７の基データである画面数字（Ｂ）８が表示されている１つ下位の階層ページ（以下画面１つ下位の階層ページという）９（図３に示す）の画面情報へのディープリンクはその画面所定の数字（Ａ）７をクリックしてページ展開できるように予め相互に関連付けられている。
【００２６】
ところで、本発明の実施形態のパターン（点検作業の進め方）は複数あり、そのパターンの選択は点検者Ｘの任意である。以下はその代表的なパターンを説明するが、このパターンに限定されない。
【００２７】
さて、今述べた、前記モニター２の画面上に画面トップページ３の画面情報（図２に示す）が現れている状態から、点検者Ｘは、成果簿Ｙの成果簿トップページ１０（図６に示す）を開いて、例えば、その成果簿のトップページ１０に記載されている成果簿所定の数字（Ａ）１１の根拠を確認したい場合には、その成果簿所定の数字（Ａ）１１に対応している画面トップページ３内に表示されている画面所定の数字（Ａ）７（図２に示す）をクリックすれば、そのクリックに係る画面所定の数字（Ａ）７の基データである画面数字（Ｂ）８が表示されている画面１つ下位の階層ページ９の画面情報がモニター２の画面上に呼び出される（図３に示す）。
この段階において、点検者Ｙは、成果簿成果簿トップページ１０の成果簿所定の数字（Ａ）１１（図６に示す）とその成果簿所定の数字（Ａ）１１の基データである画面１つ下位の階層ページ９の画面数字（Ｂ）８（図３に示す）とを同時に参照でき、その成果簿所定の数字（Ａ）１１と画面数字（Ｂ）８との関連性や整合性などを確認できる。図１は、この時の状態を示している。
【００２８】
この時、その画面数字（Ｂ）８に所定の配色が付されていれば、その画面数字（Ｂ）８が当該階層ページの画面情報内のどの箇所に表示されているのかを瞬時に発見できる。
【００２９】
なお、画面１つ下位の階層ページ９の画面上にはページ展開操作欄４が設けられている。
そして、その関連性や整合性の確認を終えたら、次に、モニターの画面上に表示されている画面一つ下位の階層ページ９（図３に示す）の画面情報に対応する成果簿の階層ページ（以下成果簿階層ページという）１２（図７に示す）を探し出してきて、そのページに記載されている成果簿所定の数字（Ａ）１１の基データである数字（以下成果簿数字という）（Ｂ）１３と成果簿所定の数字（Ａ）１１（図６に示す）との関連性や整合性の確認する。そして、それらの確認が出来た場合には、成果簿所定の数字（Ａ）１１や成果簿数字（Ｂ）１３などに赤ペンなどで確認済みのチェックマークを入れるのがよい。
この成果簿階層ページ１２（図７に示す）の探し出しは、予めモニターの画面上で確認済の画面一つ下位の階層ページ９（図３に示す）の画面情報に対応している階層ページを成果簿Ｙの中から探し出せばよいので容易に出来る。
また、成果簿Ｙとモニター画面上に表示された各階層ページにそれぞれ対応する通し番号が付されていれば、その通し番号が付された階層ページを探し出せば良いので、さらに探し出しが容易になる。
【００３０】
この時、該当ページが欠落している場合や、成果簿所定の数字（Ａ）１１（図６に示す）と成果簿数字（Ｂ）１３（図７に示す）との整合性がない等の場合には、その原因を究明して訂正作業をするが、この訂正作業は、後日、前記請負業者側で行うのが通常である。
【００３１】
そして、次に、点検者Ｙは、今確認した成果簿数字（Ｂ）１３（図７に示す）をこんどは新たなる成果簿所定の数字（Ａ）１１として、その基データを探し出すために、モニター２の画面上に現在表示されている画面１つ下の階層ページ９（図３に示す）の画面情報内のページ展開操作欄４でページ展開（甲）を選択して、且つ、その新たなる成果簿所定の数字（Ａ）１１に対応している画面所定の数字（Ａ）７（図３に示す）（さきに画面数字B８として説明した数字が今度は画面所定の数字Ａ７となる）をクリックすれば、そのクリックに係る画面所定の数字（Ａ）７の基データである画面数字（Ｂ）８が表示されている最下位の階層ページ（以下画面最下位の階層ページという）１５の画面情報がモニター２の画面上に呼び出される（図４に示す）。
そして、前記新たなる成果簿所定の数字（Ａ）１１（図７に示す）とその呼び出された画面最下位の階層ページ１５の画面情報内の画面数字（Ｂ）８とを同時に参照して、そして、その新たなる成果簿数字（Ａ）１１とその基データである画面数字（Ｂ）８（図４に示す）との関連性や整合性を確認する。
【００３２】
その関連性や整合性の確認を終えたら、次に、モニター２の画面上に表示されている画面最下位の階層ページ１５の画面情報（図４に示す）に対応する成果簿の最下位の階層ページ１４（図８に示す）を探し出してきて、そのページに記載されている成果簿数字（Ｂ）１３と前記新たなる成果簿所定の数字（Ａ）１１（図７に示す）との関連性や整合性などを確認する。
そして、それら確認が出来た場合には、その新たなる成果簿所定の数字（Ａ）１１や成果簿数字（Ｂ）１３などに赤ペンなどで確認済みのチェックマークを入れるのがよい。
【００３３】
以上のようにトップページから下の階層ページへ１階層ごとに成果簿所定の数字（Ａ）１１とその基データである成果簿数字（Ｂ）１３との検証作業を順次進めていき最下位の階層ページまで終えたら、また、前記手段や機能を実行して、前記モニター２の画面上に画面トップページ３（図２に示す）を呼び出してきて、且つ成果簿Ｘの成果簿トップページ１０（図６に示す）を開いて、先に点検してきた成果簿トップページ１０に記載されている成果簿所定の数字（Ａ）１１とは異なる成果簿所定の数字（Ａ）１１を選んで先に述べてきた手順と同じようにその点検作業を順次進めていく。
【００３４】
図９は、前記所定の数字（E）１６に吹き出し欄１７を設けた場合の説明である。図５に示した最下位の階層ページに表示されている数字を例示した。
その吹き出し欄１７内には、前記所定の数字（E）の詳細説明が表示される。すなわち、前記公共事業者各自の仕様や算定要領などの各条項や用語の説明文などが表示される。例えば、木造建物図面等に関する数値及び面積計算に関しては、国土交通省関東地方整備局の準拠する用地調査等共通仕様書、別記７、木造建物（１）調査算定要領、第２３第２項、「建物等の面積計算は、前項で記入した数値をメートル単位により小数点以下第４位まで算出し、小数点以下第２位（小数点以下第３位切捨て）までの数値を求めるものとする。」等の、数字（E）の算出方法に関する詳細説明が表示されている。
したがって、専門知識に乏しい点検者Ｘでも、吹き出し欄内の説明文を参照して、数字（E）の内容の確認をする事が可能になる。
【００３５】
以上のような確認作業を繰り返して行けば、その成果簿Ｙの点検作業を容易に且つ効率的に進めていくことができる。
因って、最終的に、前記成果簿が、その前記前提どおりに構成されているか、点検項目に関する数字や算定式の誤りはないかなどその成果簿全体の点検作業を容易に且つ効率的に行うことが可能となる。
【００３６】
以上のパターンの他にも下の階層ページから順次上位階層ページへ検証作業を進めていくパターンも可能であり、ときに中間階層ページからスタートする事も可能でありますが、そのパターンの選択は検証者各自の選択による。
【００３７】
相互に関連する各階層ページの説明
図５は、電子成果簿（成果簿も同様）の各階層ページの関連性の説明である。電子成果簿の画面トップページ３、画面１つ下位の階層ページ９、画面最下位の階層ページ１５、の１部分をそれぞれ表示したものである。画面トップページ３の画面所定の数字（A）７の基データである画面数字（B）８が表示されている画面１つ下位の階層ページ９、その数字（B）（画面所定の数字（A）７になる）の基データである画面数字（B）８が表示されている画面最下位の階層ページ１５。それらは相互に関連しているとともに、上位の階層ページには結論的数字が表示され、下位の階層ページにはその結論的数字の基データと成る数字が表示される構成となっている。
【図面の簡単な説明】
【００３８】
【図１】電子成果簿を実行して、点検作業を行っている１場面の状態を示している。
【図２】モニターの画面上に表示された電子成果簿のトップページ（最上位階層ページ）の画面情報を示している。
【図３】モニターの画面上に表示された電子成果簿の１つ下位の階層ページの画面情報を示している。
【図４】モニターの画面上に表示された電子成果簿の最下位の階層ページの画面情報を示している。
【図５】相互に関連する各階層ページの説明。
【図６】成果簿のトップページを示している。
【図７】成果簿の１つ下位の階層ページを示している。
【図８】成果簿の最下位の階層ページを示している。
【図９】数字（Ｅ）に設けられた吹き出し欄を示している。
【符号の説明】
【００３９】
１    コンピュータシステム
２    モニター
３    画面トップページ
４    ページ展開操作欄
５    ページ順送り操作欄
６    ページ検索枠
７    画面所定の数字（Ａ）
８    画面数字（Ｂ）
９    画面一つ下位の階層ページ
１０  成果簿トップページ
１１  成果簿所定の数字（Ａ）
１２  成果簿階層ページ
１３  成果簿数字（Ｂ）
１４  最下位の階層ページ
１５  画面最下位の階層ページ
１６  数字（Ｅ）
１７  吹き出し欄
Ｘ  点検者
Ｙ  成果簿
【図１】
2007299309.tif 000003
【図２】
2007299309.tif 000004
【図３】
2007299309.tif 000005
【図４】
2007299309.tif 000006
【図５】
2007299309.tif 000007
【図６】
2007299309.tif 000008
【図７】
2007299309.tif 000009
【図８】
2007299309.tif 000010
【図９】
2007299309.tif 000011